(57)【要約】【課題】非使用時に摩擦体が汚れることを防止できる熱変色性筆記具を提供する。【解決手段】軸筒２の側壁に前後方向に移動可能な操作部５を突出させ、操作部５を前方にスライド操作することにより筆記体３のペン先３１を軸筒２の前端孔２４から出没可能に構成する。軸筒２の後端に摩擦体４を突出させる。軸筒２の後端の摩擦体４の近傍外周に前後方向に後端孔を貫設する。後端孔に保護片部６を遊挿状態で設ける。保護片部６を操作部５と一体に前後方向に移動可能に設ける。ペン先没入時、保護片部６が後端孔より後方に大きく突出し、保護片部６の後端が摩擦体４の突出部４１頂部より後方に位置し、ペン先突出時、保護片部６が後端孔より前方に大きく没入し、摩擦体４の突出部４１頂部が保護片部６の後端より後方に位置する。【選択図】  図１
2014128933.tif 000002
【特許請求の範囲】
【請求項１】
軸筒の内部に筆記体を前後方向に移動可能に収容し、前記筆記体の内部に熱変色性インキを収容し、前記筆記体の前端に前記熱変色性インキが吐出可能なペン先を設け、前記軸筒の側壁に前後方向に移動可能な操作部を突出させ、前記操作部を前方にスライド操作することにより前記筆記体のペン先を軸筒の前端孔から出没可能に構成し、軸筒の後端より後方に、前記熱変色性インキの筆跡を摩擦しその際に生じる摩擦熱で該筆跡を熱変色可能な低摩耗性の弾性材料からなる摩擦体を突出させた熱変色性筆記具であって、
前記軸筒の後端の摩擦体の近傍外周に前後方向に後端孔を貫設し、前記後端孔に保護片部を遊挿状態で設け、前記保護片部を前記操作部と一体に前後方向に移動可能に設け、
ペン先没入時、前記保護片部が後端孔より後方に大きく突出し、前記保護片部の後端が前記摩擦体の突出部頂部より後方に位置し、ペン先突出時、前記保護片部が前記後端孔より前方に大きく没入し、前記摩擦体の突出部頂部が前記保護片部の後端より後方に位置することを特徴とする熱変色性筆記具。
【請求項２】
前記軸筒の後端の前記摩擦体の近傍外周に前後方向に複数の後端孔を貫設し、前記各々の後端孔に保護片部を遊挿状態で複数設けた請求項１記載の熱変色性筆記具。
【請求項３】
前記各々の保護片部の前端を互いに連結する連結壁部を設け、前記連結壁部を前記後端孔より前方の軸筒内部に収容した請求項２記載の熱変色性筆記具。
【発明の詳細な説明】
【技術分野】
【０００１】
本発明は、熱変色性筆記具に関する。詳細には、軸筒の内部に筆記体を前後方向に移動可能に収容し、操作部を前方にスライド操作することにより筆記体のペン先を軸筒の前端孔から出没可能に構成し、軸筒の後端に、前記熱変色性インキの筆跡を摩擦しその際に生じる摩擦熱で該筆跡を熱変色可能な摩擦体を備えた熱変色性筆記具に関する。
【背景技術】
【０００２】
従来、特許文献１には、熱変色性筆記具において、内部に熱変色性インキを収容した筆記体を軸筒内に収容し、前記軸筒に設けた操作体を操作して前記筆記体を前後方向に移動させ、前記筆記体のペン先を筆記具の先端から出没可能に構成した熱変色性筆記具であって、前記熱変色性インキの筆跡を摩擦しその際に生じる摩擦熱で該筆跡を熱変色可能な摩擦部と、少なくとも一の前記操作体としてのクリップ体とを備え、前記摩擦部を前記軸筒の後端に設けるとともに、前記軸筒における後端以外の部位に前記クリップ体を設けたことを特徴とする熱変色性筆記具が開示されている。
【先行技術文献】
【特許文献】
【０００３】
【特許文献１】特開平２０１２−６３１５号公報
【発明の概要】
【発明が解決しようとする課題】
【０００４】
前記特許文献１の熱変色性筆記具は、摩擦体が常に外部に露出している。そのため、非使用時、ユーザーの指先が摩擦体に接触したり、あるいは熱変色性筆記具を収納体（例えば、ペンケース、ペン立て、または衣服のポケット等）に収納して保管した際に該収納体の内面（例えば、ペンケースの内面、ペン立ての底面、または衣服のポケット内面等）と摩擦体とが接触することにより、摩擦体表面に手垢や埃等が付着し、摩擦体表面が汚れ、さらにその汚れた状態の摩擦体を用いて紙面を摩擦すると、紙面が汚れる不具合があった。
【０００５】
本発明は前記従来の問題点を解決するものであって、非使用時に摩擦体が汚れることを防止できる熱変色性筆記具を提供しようとするものである。
【０００６】
尚、本発明において、「前」とはペン先側を指し、「後」とはその反対の摩擦体側を指す。
【課題を解決するための手段】
【０００７】
本願の第１の発明は、軸筒２の内部に筆記体３を前後方向に移動可能に収容し、前記筆記体３の内部に熱変色性インキを収容し、前記筆記体３の前端に前記熱変色性インキが吐出可能なペン先３１を設け、前記軸筒２の側壁に前後方向に移動可能な操作部５を突出させ、前記操作部５を前方にスライド操作することにより前記筆記体３のペン先３１を軸筒２の前端孔２３から出没可能に構成し、軸筒２の後端より後方に、前記熱変色性インキの筆跡を摩擦しその際に生じる摩擦熱で該筆跡を熱変色可能な低摩耗性の弾性材料からなる摩擦体４を突出させた熱変色性筆記具であって、前記軸筒２の後端の摩擦体４の近傍外周に前後方向に後端孔２７を貫設し、前記後端孔２７に保護片部６を遊挿状態で設け、前記保護片部６を前記操作部５と一体に前後方向に移動可能に設け、ペン先没入時、前記保護片部６が後端孔２７より後方に大きく突出し、前記保護片部６の後端が前記摩擦体４の突出部４１頂部より後方に位置し、ペン先突出時、前記保護片部６が前記後端孔２７より前方に大きく没入し、前記摩擦体４の突出部４１頂部が前記保護片部６の後端より後方に位置することを要件とする。
【０００８】
本願の第１の発明の熱変色性筆記具１は、ペン先没入時、前記保護片部６が後端孔２７より後方に大きく突出し、前記保護片部６の後端が前記摩擦体４の突出部４１頂部より後方に位置することにより、非使用時（ペン先非使用時及び摩擦体非使用時）、ユーザーの指先との接触や、摩擦体４と収容体内面（例えば、ペンケースの内面、ペン立ての底面、または衣服のポケット内面）との接触を回避でき、摩擦体４に手垢や埃等が付着すること（即ち摩擦体４が汚れること）を防止できる。また、本願発明の熱変色性筆記具１は、操作部５の操作でペン先３１の出没と摩擦体４の出没を同時に行うことができ、操作が簡単であるとともに、一方の出没状態を視認するだけで、反対側の出没状態を識別できる。（例えば、摩擦体４の出没状態を視認することにより、ペン先出没状態を識別できる。または、ペン先３１の出没状態を視認することにより、摩擦体４の出没状態を識別できる。）
【０００９】
本願の第２の発明は、前記第１の発明の熱変色性筆記具１において、前記軸筒２の後端の前記摩擦体４の近傍外周に前後方向に複数の後端孔２７を貫設し、前記各々の後端孔２７に保護片部６を遊挿状態で複数設けたことを要件とする。
【００１０】
前記第２の発明の熱変色性筆記具１は、前記軸筒２の後端の前記摩擦体４の近傍外周に前後方向に複数の後端孔２７を貫設し、前記各々の後端孔２７に保護片部６を遊挿状態で複数設けたことにより、複数の保護片部６を摩擦体４の突出部４１の外周を包囲するように配置でき、より一層、摩擦体４の汚れを防止できる。
【００１１】
本願の第３の発明は、前記第２の発明の熱変色性筆記具１において、前記各々の保護片部６の前端を互いに連結する連結壁部６１を設け、前記連結壁部６１を前記後端孔２７より前方の軸筒２内部に収容したことを要件とする。
【００１２】
前記第３の発明の熱変色性筆記具１は、前記各々の保護片部６の前端を互いに連結する連結壁部６１を設け、前記連結壁部６１を前記後端孔２７より前方の軸筒２内部に収容したことにより、各々の保護片部６が後端孔２７から脱落することを防止できる。
【発明の効果】
【００１３】
本発明の熱変色性筆記具は、非使用時に摩擦体が汚れることを防止できる。
【図面の簡単な説明】
【００１４】
【図１】本発明の実施の形態の非使用時を示す縦断面図である。
【図２】図１の要部拡大縦断面図である。
【図３】図２のＡ−Ａ線矢視面図である（ただし操作部は省略）。
【図４】図１の使用時の縦断面図である。
【図５】図４の要部拡大縦断面図である。
【発明を実施するための形態】
【００１５】
図１乃至図５に本発明の実施の形態を示す。
本実施の形態の熱変色性筆記具１は、軸筒２と、該軸筒２内に収容される筆記体３と、軸筒２の外面より径方向外方に突出する操作部５と、該操作部５を前方にスライド操作することにより該筆記体３のペン先３１を軸筒２の前端孔２３より出没自在にさせる出没機構とを備える。
【００１６】
前記筆記体３は、ペン先３１と、該ペン先３１が前端開口部に圧入固着されたインキ収容管３２と、該インキ収容管３２内に充填される熱変色性インキと、該熱変色性インキの後端に充填され且つ該熱変色性インキの消費に伴い前進する追従体（例えば高粘度流体）とからなる。
【００１７】
前記ペン先３１は、例えば、前端に回転可能にボールを抱持した金属製のボールペンチップのみからなる構成、または前記ボールペンチップの後部外面を保持した合成樹脂製のペン先ホルダーからなる構成が挙げられる。また、前記インキ収容管３２の後端開口部に、インキ収容管３２と外部とが通気可能な通気孔を備えた尾栓３３が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００１８】
前記軸筒２は、先細円筒状の前軸２１と、該前軸２１の後端部に連結される円筒状の後軸２２とからなる。前記軸筒２の後部側壁（後軸２２の側壁）には、前後方向に延びるスライド孔２４が形成される。軸筒２（後軸２２）の内面には、カム部２６が一体に形成される。
【００１９】
前記軸筒２の後端（後軸２２の後端）には、取付孔２５が前後方向に貫設される。前記取付孔２５に弾性材料からなる摩擦体４が圧入嵌合または乗り越え嵌合される。それにより、前記後軸２２の後端外面に摩擦体４が固定される。前記摩擦体４は、軸筒２の後端より後方に突出され、軸筒２の後端に摩擦体４の突出部４１が形成される。前記摩擦体４の突出部４１頂部は凸曲面状に形成される。
【００２０】
前記操作部５は、クリップを兼ねる。前記操作部５は、前後方向に延びるクリップ本体５１と、該クリップ本体５１の後部に一体に連設される基部５２と、該基部５２と一体に連設され且つ基部５２より前方に延びる軸部５３とからなる。前記操作部５は、合成樹脂（例えば、ポリカーボネート樹脂）の成形体により得られる。前記クリップ本体５１は、裏面に玉部５１ａが突設される。前記軸部５３の前端には、回転部材７と係合するカム歯が一体または別部材による取り付けにより形成される。
【００２１】
前記軸筒２（後軸２２）の後端の摩擦体４の近傍外周には、前後方向に貫通する複数個の後端孔２７が等間隔に形成される。前記各々の後端孔２７には、保護片部６が前後方向に移動可能に貫通して配置される。前記各々の保護片部６の前端は互いに連結壁部６１により連結される。前記連結壁部６１が後端孔２７前方の軸筒２内部に配置される。
【００２２】
前記軸筒２の後端壁内面と前記連結壁部６１の後面との間には、弾発体９（圧縮コイルスプリング）が配置され、それにより、前記連結壁部６１が前方に付勢され（即ち保護片部６が前方に付勢され）、前記連結壁部６１が操作部５に常時当接される。その結果、保護片部６が、前後のガタツキなく、操作部５と一体に前後方向に移動可能となる。なお、前記保護片部６を前方に付勢する弾発体９の弾発力は、筆記体３を後方に付勢する弾発体８の弾発力よりも小さく設定される。
【００２３】
ペン先没入時、前記保護片部６が後端孔２７より後方に大きく突出し、前記保護片部６の後端が前記摩擦体４の突出部４１頂部より後方に位置する。一方、ペン先突出時、前記保護片部６が前記後端孔２７より前方（即ち軸筒２内に）に大きく没入し、前記摩擦体４の突出部４１頂部が前記保護片部６の後端より後方に位置する。
【００２４】
前記出没機構は、回転カム機構を用いたサイドスライド式出没機構である。前記出没機構は、後軸２２内面に形成されたカム部２６と、該カム部２６に係合し且つ筆記体３の後端に当接する回転部材７と、該回転部材７に係合し且つスライド孔２４より径方向外方に突出する操作部５と、軸筒２内に収容され且つ筆記体３を後方に付勢する弾発体８（例えば圧縮コイルスプリング）とからなる。本実施の形態の出没機構は、ペン先突出操作及びペン先没入操作のいずれもが操作部５を前方にスライド操作するダブルノック式である。
【００２５】
ペン先没入状態から操作部５（クリップ体）を前方に、弾発体８による後方付勢に抗してスライド操作すると、前記操作部５によって回転部材７が前方に押圧され、前記回転部材７が筆記体３９の後端を前方に押圧し、ペン先３１が前端孔２３より外部に突出される。このとき、前記回転部材７がカム部２６に係合し、ペン先突出状態が維持される。また、これと同時に、前記操作部５の前方移動に伴って各々の保護片部６が前方に移動し、摩擦体４の突出部４１の頂部が各々の保護片部６の後端より後方に位置される（即ち摩擦体４の突出部４１が各々の保護片部６後端より後方に突出される）。これにより、使用可能状態（筆記可能状態及び摩擦体使用可能状態）となる。
【００２６】
次に、ペン先突出状態から操作部５（クリップ体）を前方にスライド操作すると、前記カム部２６と回転カムの係合により前記回転部材７が後方移動し、それに伴って、筆記体３及び操作体が後方に移動し、ペン先没入状態となる。前記操作部５の後方移動に伴って各々の保護片部６が後方に移動し、各々の保護片部６の後端が摩擦体４の突出部４１より後方に位置される（即ち、各々の保護片部６の後端が摩擦体４の突出部４１頂部より後方に突出される）。これにより、非使用状態（筆記非使用状態及び摩擦体非使用状態）となる。
【００２７】
本実施の形態において、前記摩擦体４を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体４を構成する弾性を有する合成樹脂は、高摩耗性の弾性材料（例えば、消しゴム等）ではなく、摩擦時に摩耗カス（消しカス）が殆ど生じない低摩耗性の弾性材料である。また、前記摩擦体４は、軸筒２の後端部外面に少なくとも設ければよく、例えば、軸筒２の後端部外面もしくは後軸２２の後端部外面に弾性材料よりなる摩擦体４を圧入、係合、螺合、嵌合、接着、２色成形等によって固着する構成、または軸筒２の全体もしくは後軸２２の全体が弾性材料により一体に形成される構成が挙げられる。
【００２８】
本実施の形態の熱変色性筆記具１は、ペン先没入時、前記保護片部６が後端孔２７より後方に大きく突出し、前記保護片部６の後端が前記摩擦体４の突出部４１頂部より後方に位置することにより、非使用時（ペン先非使用時及び摩擦体非使用時）、ユーザーの指先との接触や、摩擦体４と収容体内面（例えば、ペンケースの内面、ペン立ての底面、または衣服のポケット内面）との接触を回避でき、摩擦体４に手垢や埃等が付着すること（即ち摩擦体４が汚れること）を防止できる。また、本願発明の熱変色性筆記具１は、操作部５の操作でペン先３１の出没と摩擦体４の出没を同時に行うことができ、操作が簡単であるとともに、一方の出没状態を視認するだけで、反対側の出没状態を識別できる。（例えば、摩擦体４の出没状態を視認することにより、ペン先出没状態を識別できる。または、ペン先３１の出没状態を視認することにより、摩擦体４の出没状態を識別できる。）
【００２９】
本実施の形態の熱変色性筆記具１は、前記軸筒２の後端の前記摩擦体４の近傍外周に前後方向に複数の後端孔２７を貫設し、前記各々の後端孔２７に保護片部６を遊挿状態で複数設けたことにより、複数の保護片部６を摩擦体４の突出部４１の外周を包囲するように配置でき、より一層、摩擦体４の汚れを防止できる。
【００３０】
本実施の形態の熱変色性筆記具１は、前記各々の保護片部６の前端を互いに連結する連結壁部６１を設け、前記連結壁部６１を前記後端孔２７より前方の軸筒２内部に収容したことにより、各々の保護片部６が後端孔２７から脱落することを防止できる。
【符号の説明】
【００３１】
１  熱変色性筆記具
２  軸筒
２１  前軸
２２  後軸
２３  前端孔
２４  スライド孔
２５  取付孔
２６  カム部
２７  後端孔
３  筆記体
３１  ペン先
３２  インキ収容管
３３  尾栓
４  摩擦体
４１  突出部
５  操作部
５１  クリップ本体
５１ａ  玉部
５２  基部
５３  軸部
６  保護片部
６１  連結壁部
７  回転部材
８  弾発体
９  弾発体
【図１】
2014128933.tif 000003
【図２】
2014128933.tif 000004
【図３】
2014128933.tif 000005
【図４】
2014128933.tif 000006
【図５】
2014128933.tif 000007